(57)【要約】【課題】据え置き状態で放置された場合でも、有効に活用することが可能な情報端末を提供する。【解決手段】この情報端末１００は、据え置き状態および把持状態で使用可能な情報端末１００であって、情報端末１００が据え置き状態であるか否かを検出する加速度センサ３と、加速度センサ３により情報端末１００が据え置き状態であることが検出され、かつ、所定の時間無操作の放置状態であると判断した場合に、据え置き状態に対応する所定のアプリケーションを動作させる制御を行うＣＰＵ１とを備える。【選択図】図３
2013207733.tif 000002
【特許請求の範囲】
【請求項１】
据え置き状態および把持状態で使用可能な情報端末であって、
前記情報端末は、
前記情報端末が据え置き状態であるか否かを検出する据え置き検出部と、
前記据え置き検出部により前記情報端末が据え置き状態であることが検出され、かつ、所定の時間無操作の放置状態であると判断した場合に、据え置き状態に対応する所定のアプリケーションを動作させる制御を行う制御部とを備える、情報端末。
【請求項２】
前記据え置き検出部は、前記情報端末の姿勢を検出する姿勢検出部、または、充電スタンドとしてのクレイドルの接続を検出するクレイドル検出部のうち少なくとも１つを含む、請求項１に記載の情報端末。
【請求項３】
前記据え置き状態に対応する所定のアプリケーションは、時計、カレンダーまたはフォトフレームのアプリケーションのうち少なくとも１つを含む、請求項１または２に記載の情報端末。
【請求項４】
前記制御部は、前記情報端末が外部から供給される電力により動作している場合において、前記情報端末が据え置き状態で、かつ、放置状態である場合に、前記据え置き状態に対応する所定のアプリケーションを動作させる制御を行うように構成されている、請求項１〜３のいずれか１項に記載の情報端末。
【請求項５】
据え置き状態および把持状態で使用可能な情報端末であって、
前記情報端末は、
電力を供給するバッテリと、
前記情報端末が据え置き状態であるか否かを検出する据え置き検出部と、
前記据え置き検出部により前記情報端末が据え置き状態であることが検出され、かつ、所定の時間無操作の放置状態であると判断した場合において、前記情報端末が外部から供給される電力により動作している場合には、据え置き状態に対応する所定のアプリケーションを動作させる制御を行い、前記情報端末が前記バッテリの電力により動作している場合には、電力の供給を停止または抑制する制御を行う制御部とを備える、情報端末。
【請求項６】
据え置き状態および把持状態で使用可能な情報端末であって、
前記情報端末は、
前記情報端末が据え置き状態であるか否かを検出する据え置き検出部と、
前記据え置き検出部により前記情報端末が据え置き状態であることが検出され、かつ、所定の時間無操作の状態であると判断した場合において、所定の時間無操作で継続して動作するアプリケーションを動作していない場合には、据え置き状態に対応する所定のアプリケーションを動作させる制御を行う制御部とを備える、情報端末。
【請求項７】
前記所定の時間無操作で継続して動作するアプリケーションは、コンテンツを再生するアプリケーション、テレビ電話のアプリケーション、情報のダウンロードを行うアプリケーション、または、インターネットラジオのアプリケーションのうち少なくとも１つを含む、請求項６に記載の情報端末。
【請求項８】
前記所定の時間無操作で継続して動作するアプリケーションは、ユーザが選択して指定可能に構成されている、請求項６または７に記載の情報端末。
【請求項９】
前記制御部は、前記所定の時間無操作で継続して動作するアプリケーションとしての、コンテンツを再生するアプリケーション、または、テレビ電話のアプリケーションを動作している場合には、ユーザが前記情報端末近辺に存在するか否かに応じて、動作している前記アプリケーションを制御するように構成されている、請求項６〜８のいずれか１項に記載の情報端末。
【発明の詳細な説明】
【技術分野】
【０００１】
この発明は、情報端末に関し、特に、据え置き状態で使用可能な情報端末に関する。
【背景技術】
【０００２】
従来、据え置き状態で使用可能な情報端末が知られている（たとえば、特許文献１参照）。
【０００３】
上記特許文献１には、固定位置（据え置き状態）に設置しての使用および携帯しての使用の両方の使用が可能な携帯端末（情報端末）が開示されている。この携帯端末は、固定位置以外の場所で放置されている場合に、放置されたことをユーザに通知するように構成されている。
【先行技術文献】
【特許文献】
【０００４】
【特許文献１】特開２０１０−９８３５６号公報
【発明の概要】
【発明が解決しようとする課題】
【０００５】
しかしながら、上記特許文献１の携帯端末（情報端末）では、固定位置（据え置き状態）以外の場所で放置されている場合に、放置されたことをユーザに通知するものの、固定位置においては、単に放置されたときの状態が継続されるだけであると考えられる。このため、固定位置に放置された携帯端末が有効に活用されないという問題点がある。
【０００６】
この発明は、上記のような課題を解決するためになされたものであり、この発明の１つの目的は、据え置き状態で放置された場合でも、有効に活用することが可能な情報端末を提供することである。
【課題を解決するための手段】
【０００７】
この発明の第１の局面による情報端末は、据え置き状態および把持状態で使用可能な情報端末であって、情報端末は、情報端末が据え置き状態であるか否かを検出する据え置き検出部と、据え置き検出部により情報端末が据え置き状態であることが検出され、かつ、所定の時間無操作の放置状態であると判断した場合に、据え置き状態に対応する所定のアプリケーションを動作させる制御を行う制御部とを備える。
【０００８】
この発明の第１の局面による情報端末では、上記のように、据え置き検出部により情報端末が据え置き状態であることが検出され、かつ、所定の時間無操作の放置状態であると判断した場合に、据え置き状態に対応する所定のアプリケーションを動作させる制御を行う制御部を設けることによって、情報端末が据え置き状態で放置されている場合に、時計表示やカレンダー表示など、据え置き状態に対応するアプリケーションを自動的に動作させることができるので、据え置き状態で放置された場合でも、情報端末を有効に活用することができる。
【０００９】
上記第１の局面による情報端末において、好ましくは、据え置き検出部は、情報端末の姿勢を検出する姿勢検出部、または、充電スタンドとしてのクレイドルの接続を検出するクレイドル検出部のうち少なくとも１つを含む。このように構成すれば、情報端末の姿勢を検出するか、または、クレイドルに接続されていることを検出して、情報端末が据え置き状態であるか否かを容易に検出することができる。
【００１０】
上記第１の局面による情報端末において、好ましくは、据え置き状態に対応する所定のアプリケーションは、時計、カレンダーまたはフォトフレームのアプリケーションのうち少なくとも１つを含む。このように構成すれば、情報端末が据え置き状態で放置されている場合でも、時計、カレンダーまたはフォトフレームのアプリケーションに切り替えて情報端末を有効に活用することができる。
【００１１】
上記第１の局面による情報端末において、好ましくは、制御部は、情報端末が外部から供給される電力により動作している場合において、情報端末が据え置き状態で、かつ、放置状態である場合に、据え置き状態に対応する所定のアプリケーションを動作させる制御を行うように構成されている。このように構成すれば、情報端末が据え置き状態で放置されている場合でも、外部から供給される電力を用いて情報端末を有効に活用することができる。
【００１２】
この発明の第２の局面による情報端末は、据え置き状態および把持状態で使用可能な情報端末であって、情報端末は、電力を供給するバッテリと、情報端末が据え置き状態であるか否かを検出する据え置き検出部と、据え置き検出部により情報端末が据え置き状態であることが検出され、かつ、所定の時間無操作の放置状態であると判断した場合において、情報端末が外部から供給される電力により動作している場合には、据え置き状態に対応する所定のアプリケーションを動作させる制御を行い、情報端末がバッテリの電力により動作している場合には、電力の供給を停止または抑制する制御を行う制御部とを備える。
【００１３】
この発明の第２の局面による情報端末では、上記のように、据え置き検出部により情報端末が据え置き状態であることが検出され、かつ、所定の時間無操作の放置状態であると判断した場合において、情報端末が外部から供給される電力により動作している場合には、据え置き状態に対応する所定のアプリケーションを動作させる制御を行い、情報端末がバッテリの電力により動作している場合には、電力の供給を停止または抑制する制御を行う制御部を設けている。これにより、情報端末が据え置き状態で放置されている場合に、時計表示やカレンダー表示など、据え置き状態に対応するアプリケーションを自動的に動作させることができるので、据え置き状態で放置された場合でも、情報端末を有効に活用することができる。また、情報端末が据え置き状態で放置されている場合に、バッテリの電力消費を抑制してバッテリ切れになるのを抑制することができる。
【００１４】
この発明の第３の局面による情報端末は、据え置き状態および把持状態で使用可能な情報端末であって、情報端末は、情報端末が据え置き状態であるか否かを検出する据え置き検出部と、据え置き検出部により情報端末が据え置き状態であることが検出され、かつ、所定の時間無操作の状態であると判断した場合において、所定の時間無操作で継続して動作するアプリケーションを動作していない場合には、据え置き状態に対応する所定のアプリケーションを動作させる制御を行う制御部とを備える。
【００１５】
この発明の第３の局面による情報端末では、上記のように、据え置き検出部により情報端末が据え置き状態であることが検出され、かつ、所定の時間無操作の状態であると判断した場合において、所定の時間無操作で継続して動作するアプリケーションを動作していない場合には、据え置き状態に対応する所定のアプリケーションを動作させる制御を行う制御部を設けている。これにより、情報端末が据え置き状態で放置（所定の時間無操作状態）されている場合に、時計表示やカレンダー表示など、据え置き状態に対応するアプリケーションを自動的に動作させることができるので、据え置き状態で放置された場合でも、情報端末を有効に活用することができる。また、所定の時間無操作で継続して動作するアプリケーションを動作させる目的で、ユーザが意図的に据え置き状態にした場合に、ユーザの意に反して所定のアプリケーションに切り替わってしまうのを抑制することができる。
【００１６】
上記第３の局面による情報端末において、好ましくは、所定の時間無操作で継続して動作するアプリケーションは、コンテンツを再生するアプリケーション、テレビ電話のアプリケーション、情報のダウンロードを行うアプリケーション、または、インターネットラジオのアプリケーションのうち少なくとも１つを含む。このように構成すれば、据え置き状態にしてコンテンツを再生するアプリケーション、テレビ電話のアプリケーション、情報のダウンロードを行うアプリケーション、または、インターネットラジオのアプリケーションを動作させている場合に、所定のアプリケーションに切り替わってしまうのを抑制することができる。
【００１７】
上記第３の局面による情報端末において、好ましくは、所定の時間無操作で継続して動作するアプリケーションは、ユーザが選択して指定可能に構成されている。このように構成すれば、ユーザの使用状態に合わせて、所定の時間無操作で継続して動作するアプリケーションを指定することができるので、ユーザの利便性の向上を図ることができる。
【００１８】
上記第３の局面による情報端末において、好ましくは、制御部は、所定の時間無操作で継続して動作するアプリケーションとしての、コンテンツを再生するアプリケーション、または、テレビ電話のアプリケーションを動作している場合には、ユーザが情報端末近辺に存在するか否かに応じて、動作しているアプリケーションを制御するように構成されている。このように構成すれば、据え置き状態でコンテンツの再生動作を行っている場合において、たとえば、ユーザが情報端末近辺に存在しない場合に、再生しているコンテンツを一時停止させ、再びユーザが情報端末近辺に存在した場合に、一時停止しているコンテンツの再生を再開させることによって、ユーザがコンテンツを見逃すことなく視聴することができる。また、据え置き状態でテレビ電話の通信動作を行っている場合において、たとえば、ユーザが情報端末近辺に存在しない場合に、テレビ電話の通信を停止させることによって、不要な通信を減らして制御部の処理負担を軽減することができる。この場合、テレビ電話の通信が停止されるので、情報端末の消費電力を低減することができる。
【図面の簡単な説明】
【００１９】
【図１】本発明の第１実施形態による情報端末を示した斜視図である。
【図２】本発明の第１実施形態による情報端末を示したブロック図である。
【図３】本発明の第１実施形態による情報端末のＣＰＵによるアプリケーション切替処理を説明するためのフローチャートである。
【図４】本発明の第１実施形態による情報端末のカレンダーのアプリケーションを説明するための図である。
【図５】本発明の第１実施形態による情報端末の時計のアプリケーションを説明するための図である。
【図６】本発明の第２実施形態による情報端末を示した斜視図である。
【図７】本発明の第２実施形態による情報端末を示したブロック図である。
【発明を実施するための形態】
【００２０】
以下、本発明の実施形態を図面に基づいて説明する。
【００２１】
（第１実施形態）
まず、図１および図２を参照して、本発明の第１実施形態による情報端末１００の構成について説明する。
【００２２】
情報端末１００は、メディアプレイヤー、テレビ電話、デジタルフォトフレームなどのアプリケーションを動作させての利用、または、インターネットに接続して情報を視聴するなどのために用いられるように構成されている。また、情報端末１００は、据え置き状態で使用可能に構成されている。つまり、情報端末１００は、図１に示すように、スタンド状態で据え置きすることが可能に構成されている。具体的には、情報端末１００は、表示部１０が水平方向に対して所定の角度起き上がった状態に立てられて据え置きすることが可能に構成されている。また、情報端末１００は、携帯して持ち運ぶことが可能に構成されている。また、情報端末１００は、ユーザが把持した状態で使用することも可能に構成されている。
【００２３】
情報端末１００は、図２に示すように、ＣＰＵ（中央演算処理装置）１と、カメラ２と、加速度センサ３と、記憶部４と、電源ブロック５と、通信部６と、メモリ７と、マイク８と、スピーカ９と、表示部１０と、操作部１１とを備えている。電源ブロック５は、電源回路５ａと、バッテリ５ｂとを含む。操作部１１は、タッチパネル１１ａと、操作ボタン１１ｂとを含む。また、電源回路５ａは、外部からの電力を供給するための電源コード５ｃが接続可能に構成されている。また、通信部６には、アンテナ６ａが接続されている。なお、ＣＰＵ１は、本発明の「制御部」の一例であり、加速度センサ３は、本発明の「据え置き検出部」および「姿勢検出部」の一例である。
【００２４】
ＣＰＵ１は、情報端末１００の各部を制御するように構成されている。また、ＣＰＵ１はメモリ７に記憶されたメディアプレイヤー、テレビ電話、デジタルフォトフレームなどのアプリケーションを起動して動作させるように構成されている。また、ＣＰＵ１は、メディアプレイヤーのアプリケーションを起動させて、記憶部４に記憶された映像や音楽などのコンテンツを再生して、スピーカ９から音声を出力するとともに、表示部１０に画像を表示させるように構成されている。
【００２５】
また、ＣＰＵ１は、カメラ２により撮像して、ユーザの動きの検知およびユーザの顔を認識可能に構成されている。また、ＣＰＵ１は、ユーザの動きの検知結果およびユーザの顔の認識結果に基づいて、ユーザが情報端末１００の近辺に居るか否か、および、ユーザの顔が情報端末１００の方を向いているか否かを判断するように構成されている。また、ＣＰＵ１は、加速度センサ３により、情報端末１００の姿勢および移動の有無を検出するように構成されている。また、ＣＰＵ１は、加速度センサ３により、情報端末１００の姿勢を検出して、情報端末１００が据え置き状態（図１参照）であるか否かを判断するように構成されている。
【００２６】
また、ＣＰＵ１は、マイク８により音を検知して、ユーザが情報端末１００の近辺に存在するか否かを判断するように構成されている。また、ＣＰＵ１は、操作部１１（タッチパネル１１ａおよび操作ボタン１１ｂ）によりユーザからの操作を受付けるように構成されている。また、ＣＰＵ１は、操作部１１に対してユーザからの操作が一定時間（たとえば、５分間）行われない場合、かつ、加速度センサ３により加速度の変化を検知しない場合、情報端末１００が放置状態であると判断するように構成されている。
【００２７】
ここで、第１実施形態では、ＣＰＵ１は、加速度センサ３により情報端末１００が据え置き状態であることが検出され、かつ、所定の時間（たとえば、５分間）無操作の放置状態であると判断した場合に、時計、カレンダーまたはフォトフレームのアプリケーションのうちいずれか１つを動作させる制御を行うように構成されている。これにより、情報端末１００の据え置き状態で放置された状態に対応する便利な機能のアプリケーションにＣＰＵ１によって切り替えられる。たとえば、カレンダーのアプリケーションに切り替えられた場合には、図４に示す例の画面が表示部１０に表示される。また、時計のアプリケーションに切り替えられた場合には、図５に示す例の画面が表示部１０に表示される。なお、時計、カレンダーまたはフォトフレームのアプリケーションの選択は、ユーザが予め指定して設定できるように構成されている。
【００２８】
また、第１実施形態では、ＣＰＵ１は、情報端末１００に電源回路５ａを介して外部から電力が供給されている場合において、情報端末１００が据え置き状態で、かつ放置状態であると判断した場合に、時計、カレンダーまたはフォトフレームのアプリケーションのうちいずれか１つを動作させる制御を行うように構成されている。一方、ＣＰＵ１は、情報端末１００にバッテリ５ｂから電力が供給されている場合において、情報端末１００が据え置き状態で放置されていると判断した場合には、時計、カレンダーまたはフォトフレームのアプリケーションを動作させる制御は行わずに、バッテリ５ｂからの電力の供給を停止または抑制する制御を行うように構成されている。
【００２９】
また、第１実施形態では、ＣＰＵ１は、所定の時間無操作で継続して動作するアプリケーションを動作している場合には、情報端末１００が据え置き状態で、かつ、所定の時間無操作の状態であると判断した場合でも、時計、カレンダーまたはフォトフレームのアプリケーションを動作させる制御は行わないように構成されている。具体的には、ＣＰＵ１は、メディアプレイヤーのアプリケーションを起動してコンテンツを再生する動作を行っている場合、テレビ電話のアプリケーションを起動してテレビ電話の通信動作を行っている場合、通信部６を介してインターネットから情報をダウンロードする動作を行っている場合、および、通信部６を介してインターネットラジオの受信動作を行っている場合には、情報端末１００が据え置き状態で、かつ、所定の時間無操作の状態であると判断した場合でも、時計、カレンダーまたはフォトフレームのアプリケーションに切り替える制御は行わないように構成されている。なお、所定の時間無操作で継続して動作するアプリケーションは、コンテンツを再生するアプリケーション、テレビ電話のアプリケーション、情報のダウンロードを行うアプリケーション、および、インターネットラジオのアプリケーションが予め初期設定として設定されている。さらに、所定の時間無操作で継続して動作するアプリケーションは、ユーザが選択して追加／削除することが可能に構成されている。
【００３０】
また、ＣＰＵ１は、メディアプレイヤーのアプリケーションを起動してコンテンツを再生する動作を行っている際に、カメラ２により撮像を行い、ユーザの動きの検知およびユーザの顔の認識を行うとともに、マイク８により集音して周囲の音を検知するように構成されている。なお、カメラ２による撮像およびマイク８による集音は、メディアプレイヤーのアプリケーションの起動中に、一定の短い間隔（たとえば、１秒）をあけて、または、間隔をあけずに連続的に行われる。
【００３１】
カメラ２は、撮像を行うように構成されている。具体的には、テレビ電話を行う際に、ユーザの顔を撮像するように構成されている。また、カメラ２は、図１に示すように、表示部１０と同じ側の面に設けられている。加速度センサ３は、情報端末１００に作用する加速度を検知するように構成されている。つまり、加速度センサ３は、情報端末１００の姿勢を検出するように構成されている。記憶部４は、メモリーカードなどのフラッシュメモリにより構成されている。また、記憶部４は、映像や音楽などのコンテンツ、および、プログラムなどが記憶されるように構成されている。電源ブロック５は、情報端末１００の各部に電力を供給するように構成されている。電源回路５ａは、電源コード５ｃを介して外部から供給される電力を情報端末１００の各部に供給するように構成されている。バッテリ５ｂは、充放電可能な二次電池である。具体的には、バッテリ５ｂは、外部から電力が供給されていない場合に放電して情報端末１００の各部に電力を供給可能に構成されている。また、バッテリ５ｂは、電源コード５ｃを介して外部から供給された電力により充電可能に構成されている。
【００３２】
通信部６は、アンテナ６ａを介して、インターネットに接続可能に構成されている。メモリ７は、各種アプリケーションを格納および展開することが可能に構成されている。また、メモリ７は、情報端末１００の内蔵メモリである。マイク８は、テレビ電話を行う際に、ユーザの声を集音するように構成されている。また、また、マイク８は、図１に示すように、カメラ２および表示部１０と同じ側の面に設けられている。スピーカ９は、音声を出力可能に構成されている。具体的には、スピーカ９は、再生されたコンテンツの音声を出力可能に構成されている。また、スピーカ９は、受信したインターネットラジオの音声を出力可能に構成されている。また、スピーカ９は、テレビ電話の相手方の音声を出力可能に構成されている。また、スピーカ９は、図１に示すように、マイク８の左右両側に所定の間隔を隔てて２つ設けられている。
【００３３】
表示部１０は、画像を表示可能に構成されている。具体的には、表示部１０は、再生されたコンテンツの画像を表示可能に構成されている。また、表示部１０は、情報端末１００のタッチパネル１１ａによる操作のための画像を表示可能に構成されている。また、表示部１０は、テレビ電話の相手方の画像を表示可能に構成されている。また、表示部１０は、液晶パネルおよびバックライトを含む。また、表示部１０には、タッチバネル１１ａが一体的に設けられている。タッチパネル１１ａおよび操作ボタン１１ｂは、ユーザからの操作を受付けるように構成されている。操作ボタン１１ｂは、図１に示すように、表示部１０と同じ側の面の左側に設けられている。
【００３４】
次に、図３を参照して、情報端末１００のＣＰＵ１が行うアプリケーション切替処理について説明する。この処理は、情報端末１００の起動中に継続的に実行されている。
【００３５】
ステップＳ１において、ＣＰＵ１は、一定時間（たとえば、５分間）内に加速度の変化またはユーザによる操作が行われたか否かを判断する。つまり、ＣＰＵ１は、情報端末１００が放置されているか否かを判断する。具体的には、ＣＰＵ１は、一定時間内に加速度センサ３により加速度の変化を検出したか否か、または、操作部１１によりユーザからの操作の受付を検出したか否かを判断する。加速度の変化またはユーザによる操作のうちいずれか１つを検出した（情報端末１００が放置されていない）と判断した場合、アプリケーション切替処理を終了する。加速度の変化およびユーザによる操作の両方とも検出していない（情報端末１００が放置されている）と判断した場合、ステップＳ２に進む。
【００３６】
ＣＰＵ１は、ステップＳ２において、情報端末１００の現在の姿勢が据え置き状態であるか否かを判断する。具体的には、ＣＰＵ１は、加速度センサ３による加速度の検出により、情報端末１００の姿勢が据え置き状態（図１参照）であるか否かを判断する。たとえば、表示部１０が上方または下方を向けて置かれている場合など、情報端末１００が据え置き状態でないと判断した場合、アプリケーション切替処理を終了する。一方、情報端末１００が据え置き状態であると判断した場合、ステップＳ３に進む。
【００３７】
ＣＰＵ１は、ステップＳ３において、メディアプレイヤーのアプリケーションが動作中であるか否かを判断する。メディアプレイヤーのアプリケーションが動作中でなければ、ステップＳ４に進み、メディアプレイヤーのアプリケーションが動作中であれば、ステップＳ８に進む。ＣＰＵ１は、ステップＳ４において、テレビ電話のアプリケーションが動作中であるか否かを判断する。テレビ電話のアプリケーションが動作中でなければ、ステップＳ５に進み、テレビ電話のアプリケーションが動作中であれば、ステップＳ１３に進む。
【００３８】
ＣＰＵ１は、ステップＳ５において、現在行っている動作はアプリケーションの切り替えを行わない設定の動作であるか否かを判断する。具体的には、ＣＰＵ１は、現在行っている動作が、アプリケーションの切り替えを行わない動作として設定されている動作のうち、通信部６を介してインターネットから情報のダウンロードを行うアプリケーションの動作、または、インターネットラジオのアプリケーションの動作であるか否かを判断する。現在行っている動作がアプリケーションの切り替えを行わない設定の動作であれば、アプリケーション切替処理を終了する。一方、現在行っている動作がアプリケーションの切り替えを行わない設定の動作ではなければ、ステップＳ６に進む。
【００３９】
ＣＰＵ１は、ステップＳ６において、電源回路５ａを介して外部から電力が供給されているか否かを判断する。電源回路５ａを介して外部から電力が供給されていれば、ステップＳ７に進む。外部から電力が供給されずに、バッテリ５ｂから電力が供給されていれば、ステップＳ１５に進む。
【００４０】
ここで、第１実施形態では、ＣＰＵ１は、ステップＳ７において、アプリケーションを切り替える制御を行う。具体的には、ＣＰＵ１は、現在動作しているアプリケーションを停止させるとともに、時計、カレンダーまたはフォトフレームのアプリケーションのうちいずれか１つを起動させて、アプリケーションを切り替える制御を行う。その後、アプリケーション切替処理を終了する。
【００４１】
ステップＳ３において、メディアプレイヤーのアプリケーションが動作中であると判断した場合、ＣＰＵ１は、ステップＳ８において、カメラ２によりユーザの顔を検出したか否かを判断する。つまり、ＣＰＵ１は、ユーザの顔の検出結果に基づいて、ユーザが情報端末１００の近辺に居るか否か、および、ユーザの顔が情報端末１００の方を向いているか否かを判断する。ユーザの顔を検出しなければ、ステップＳ９に進み、ユーザの顔を検出すれば、ステップＳ１１に進む。
【００４２】
ＣＰＵ１は、ステップＳ９において、コンテンツが再生中であるか否かを判断する。コンテンツが再生中でなければ、そのまま、アプリケーション切替処理を終了する。一方、コンテンツが再生中であれば、ＣＰＵ１は、ステップＳ１０において、コンテンツの再生を一時停止して、その後、アプリケーション切替処理を終了する。ステップＳ８において、ユーザの顔を検出した場合、ステップＳ１１において、ＣＰＵ１は、コンテンツの再生が一時停止中であるか否かを判断する。コンテンツが一時停止中でなければ、そのまま、アプリケーション切替処理を終了する。一方、コンテンツが一時停止中であれば、ＣＰＵ１は、ステップＳ１２において、コンテンツの再生を再開して、その後、アプリケーション切替処理を終了する。
【００４３】
ステップＳ４において、テレビ電話のアプリケーションが動作中であると判断した場合、ＣＰＵ１は、ステップＳ１３において、カメラ２によりユーザの顔を検出したか否か、または、マイク８によりユーザの音声を検出したか否かを判断する。つまり、ＣＰＵ１は、ユーザの顔または音声の検出結果に基づいて、ユーザが情報端末１００の近辺に居るか否かを判断する。ユーザの顔および音声のいずれもが検出されなければ、ステップＳ１４に進み、ユーザの顔または音声の少なくとも一方を検出すれば、アプリケーション切替処理を終了する。ＣＰＵ１は、ステップＳ１４において、テレビ電話の通話（通信）を終了し、テレビ電話のアプリケーションの通信状態をスタンバイ状態に切り替える制御を行い、その後、アプリケーション切替処理を終了する。
【００４４】
ステップＳ６において、外部から電力が供給されずに、バッテリ５ｂから電力が供給されていると判断した場合、ＣＰＵ１は、ステップＳ１５において、省電力モードに移行する制御を行う。具体的には、ＣＰＵ１は、バッテリ５ｂからの電力の供給を停止または抑制する制御を行い、省電力モードに移行する制御を行う。その後、アプリケーション切替処理を終了する。
【００４５】
第１実施形態では、上記のように、加速度センサ３により情報端末１００が据え置き状態であることが検出され、かつ、所定の時間無操作の放置状態であると判断した場合に、据え置き状態に対応する時計、カレンダーまたはフォトフレームのアプリケーションを動作させる制御を行うＣＰＵ１を設けることによって、情報端末１００が据え置き状態で放置されている場合に、据え置き状態に対応する時計、カレンダーまたはフォトフレームのアプリケーションを自動的に動作させることができるので、据え置き状態で放置された場合でも、情報端末１００を有効に活用することができる。
【００４６】
また、第１実施形態では、上記のように、加速度センサ３により情報端末１００が据え置き状態であることが検出され、かつ、放置状態であると判断した場合に、据え置き状態に対応する時計、カレンダーまたはフォトフレームのアプリケーションを動作させる制御を行うようにＣＰＵ１を構成することによって、加速度センサ３により情報端末１００が据え置き状態であるか否かを容易に検出することができるので、情報端末１００の据え置き状態を確実に検出して情報端末１００を有効に活用することができる。
【００４７】
また、第１実施形態では、上記のように、情報端末１００が外部から供給される電力により動作している場合において、情報端末１００が据え置き状態で、かつ、放置状態である場合に、据え置き状態に対応する時計、カレンダーまたはフォトフレームのアプリケーションを動作させる制御を行うようにＣＰＵ１を構成することによって、情報端末１００が据え置き状態で放置されている場合でも、外部から供給される電力を用いて情報端末１００を有効に活用することができる。
【００４８】
また、第１実施形態では、上記のように、情報端末１００がバッテリ５ｂの電力により動作している場合において、情報端末１００が据え置き状態で放置されている場合には、据え置き状態に対応する時計、カレンダーまたはフォトフレームのアプリケーションに切り替えずに、電力の供給を停止または抑制する制御を行うようにＣＰＵ１を構成することによって、情報端末１００が据え置き状態で放置されている場合に、バッテリ５ｂの電力消費を抑制してバッテリ切れになるのを抑制することができる。
【００４９】
また、第１実施形態では、上記のように、コンテンツの再生動作、テレビ電話の通信動作、情報をダウンロードする動作、または、インターネットラジオの受信動作を行っている場合には、情報端末１００が据え置き状態で放置されている場合でも、据え置き状態に対応する時計、カレンダーまたはフォトフレームのアプリケーションに切り替える制御を行わないように、ＣＰＵ１を構成する。これにより、所定の時間無操作で継続して動作するアプリケーションを動作させる目的で、ユーザが意図的に据え置き状態にした場合に、ユーザの意に反して時計、カレンダーまたはフォトフレームのアプリケーションに切り替わってしまうのを抑制することができる。
【００５０】
また、第１実施形態では、上記のように、時計、カレンダーまたはフォトフレームのアプリケーションに切り替える制御を行わない所定の時間無操作で継続して動作するアプリケーションを、ユーザが選択して指定可能に構成することによって、ユーザの使用状態に合わせて、所定の時間無操作で継続して動作するアプリケーションを指定することができるので、ユーザの利便性の向上を図ることができる。
【００５１】
また、第１実施形態では、上記のように、所定の時間無操作で継続して動作するアプリケーションとしてのコンテンツの再生するアプリケーションを動作している場合には、情報端末１００が据え置き状態で、かつ、所定の時間無操作の状態であっても、据え置き状態に対応する時計、カレンダーまたはフォトフレームのアプリケーションに切り替える制御を行わないとともに、ユーザが情報端末１００近辺に存在しないと判断した場合には、再生しているコンテンツを一時停止し、かつ、ユーザが情報端末１００近辺に存在すると判断した場合には、一時停止しているコンテンツの再生を再開するようにＣＰＵ１を構成する。これにより、据え置き状態でコンテンツの再生動作を行っている場合に、時計、カレンダーまたはフォトフレームのアプリケーションに自動で切り替わることがないので、ユーザのコンテンツの視聴を中断することを防止することができる。また、ユーザが情報端末１００近辺に存在しない場合に、再生しているコンテンツが一時停止され、再びユーザが情報端末１００近辺に存在した場合に、一時停止しているコンテンツの再生が再開されるので、ユーザがコンテンツを見逃すことなく視聴することができる。
【００５２】
また、第１実施形態では、上記のように、所定の時間無操作で継続して動作するアプリケーションとしてのテレビ電話のアプリケーションを動作している場合には、情報端末１００が据え置き状態で、かつ、所定の時間無操作の状態であっても、据え置き状態に対応する時計、カレンダーまたはフォトフレームのアプリケーションに切り替える制御を行わないとともに、ユーザが情報端末１００近辺に存在しないと判断した場合には、テレビ電話の通信動作を停止する制御を行うようにＣＰＵ１を構成する。これにより、据え置き状態でテレビ電話の通信動作を行っている場合に、時計、カレンダーまたはフォトフレームのアプリケーションに自動で切り替わることがないので、ユーザのテレビ電話の通信を中断することを防止することができる。また、ユーザが情報端末１００近辺に存在しない場合に、テレビ電話の通信が停止されるので、不要な通信を減らしてＣＰＵ１の処理負担を軽減することができる。また、テレビ電話の通信が停止されるので、情報端末１００の消費電力を低減することができる。
【００５３】
（第２実施形態）
次に、図６および図７を参照して、第２実施形態による情報端末２００について説明する。この第２実施形態では、クレイドルを用いずに情報端末１００が据え置き状態で使用可能に構成されていた第１実施形態とは異なり、充電スタンドとしてのクレイドルを用いて情報端末２００が据え置き状態で使用可能に構成されている例について説明する。
【００５４】
本発明の第２実施形態による情報端末２００は、据え置き状態で使用可能に構成されている。つまり、情報端末２００は、図６に示すように、充電スタンドとしてのクレイドル２０にスタンド状態で据え置きすることが可能に構成されている。具体的には、情報端末２００は、表示部１０が水平方向に対して所定の角度起き上がった状態に立てられてクレイドル２０に据え置きすることが可能に構成されている。
【００５５】
また、情報端末２００は、図７に示すように、ＣＰＵ（中央演算処理装置）１と、カメラ２と、加速度センサ３と、記憶部４と、電源ブロック５と、通信部６と、メモリ７と、マイク８と、スピーカ９と、表示部１０と、操作部１１と、クレイドル検出部１２とを備えている。電源ブロック５は、電源回路５ａと、バッテリ５ｂとを含む。操作部１１は、タッチパネル１１ａと、操作ボタン１１ｂとを含む。また、電源回路５ａは、クレイドル２０を介して外部から電力を供給可能に構成されている。また、通信部６には、アンテナ６ａが接続されている。クレイドル２０は、外部からの電力を供給するための電源コード２０ａが接続可能に構成されている。なお、ＣＰＵ１は、本発明の「制御部」の一例であり、加速度センサ３は、本発明の「据え置き検出部」および「姿勢検出部」の一例である。また、クレイドル検出部１２は、本発明の「据え置き検出部」の一例である。
【００５６】
ここで、第２実施形態では、ＣＰＵ１は、クレイドル検出部１２により、クレイドル２０の接続の有無を検出して、情報端末２００が据え置き状態（図６参照）であるか否かを判断するように構成されている。また、ＣＰＵ１は、加速度センサ３により、情報端末２００の姿勢および移動の有無を検出するように構成されている。また、ＣＰＵ１は、加速度センサ３により、情報端末２００の姿勢を検出して、情報端末２００が据え置き状態（図６参照）であるか否かを判断するように構成されている。また、ＣＰＵ１は、情報端末２００が据え置き状態で放置されている場合に、時計、カレンダーまたはフォトフレームのアプリケーションのうちいずれか１つに切り替える制御を行うように構成されている。
【００５７】
クレイドル検出部１２は、情報端末２００がクレイドル２０に載置されて接続されていることを検出するように構成されている。クレイドル２０は、情報端末２００（バッテリ５ｂ）を充電するための充電スタンドとして用いられる。また、クレイドル２０は、電源コード２０ａを介して電源回路５ａに電力を供給するように構成されている。
【００５８】
なお、第２実施形態のその他の構成は、上記第１実施形態と同様である。
【００５９】
上記のように、第２実施形態の構成においても、上記第１実施形態と同様に、情報端末２００が据え置き状態であることが検出され、かつ、所定の時間無操作の放置状態であると判断した場合に、据え置き状態に対応する時計、カレンダーまたはフォトフレームのアプリケーションに切り替える制御を行うＣＰＵ１を設けることによって、据え置き状態で放置された場合でも、情報端末２００を有効に活用することができる。
【００６０】
さらに、第２実施形態では、上記のように、クレイドル検出部１２により情報端末２００が据え置き状態であることが検出され、かつ、放置状態であると判断した場合に、据え置き状態に対応する時計、カレンダーまたはフォトフレームのアプリケーションに切り替える制御を行うようにＣＰＵ１を構成することによって、クレイドル検出部１２により情報端末２００が据え置き状態であるか否かを容易に検出することができるので、情報端末２００の据え置き状態を確実に検出して情報端末２００を有効に活用することができる。
【００６１】
なお、第２実施形態のその他の効果は、上記第１実施形態と同様である。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
たとえば、上記第１実施形態では、据え置き検出部として、姿勢検出部（加速度センサ）を備え、上記第２実施形態では、据え置き検出部として、姿勢検出部（加速度センサ）およびクレイドル検出部を備える構成の例をそれぞれ示したが、本発明はこれに限られない。本発明では、据え置き検出部は、姿勢検出部、または、クレイドル検出部のうち少なくとも１つを含んでいればよい。
【００６４】
また、上記第１および第２実施形態では、据え置き状態に対応する所定のアプリケーションとして、時計、カレンダーまたはフォトフレームのアプリケーションを含む構成の例を示したが、本発明はこれに限られない。本発明では、据え置き状態に対応する所定のアプリケーションは、時計、カレンダーおよびフォトフレームのアプリケーションのうち少なくとも１つを含んでいればよい。また、据え置き状態に対応する所定のアプリケーションは、時計、カレンダーおよびフォトフレームのアプリケーション以外のアプリケーションであってもよい。
【００６５】
また、上記第１および第２実施形態では、所定の時間無操作で継続して動作するアプリケーションとして、コンテンツを再生するアプリケーション、テレビ電話のアプリケーション、情報のダウンロードを行うアプリケーション、または、インターネットラジオのアプリケーションを含む構成の例を示したが、本発明はこれに限られない。本発明では、所定の時間無操作で継続して動作するアプリケーションは、コンテンツを再生するアプリケーション、テレビ電話のアプリケーション、情報のダウンロードを行うアプリケーション、または、インターネットラジオのアプリケーションのうち少なくとも１つを含んでいればよい。また、コンテンツを再生するアプリケーション、テレビ電話のアプリケーション、情報のダウンロードを行うアプリケーション、および、インターネットラジオのアプリケーション以外のアプリケーションであってもよい。
【００６６】
また、上記第１実施形態では、充電スタンドとしてのクレイドルを用いずに情報端末を据え置き状態で使用可能に構成されており、上記第２実施形態では、クレイドルを用いて情報端末を据え置き状態で使用可能に構成されている例を示したが、本発明はこれに限られない。本発明では、情報端末は、クレイドルを用いた状態およびクレイドルを用いない状態の両方において、据え置き状態で使用可能に構成されていてもよい。
【００６７】
また、上記第１および第２実施形態では、情報端末がバッテリの電力により動作している場合には、据え置き状態に対応する所定のアプリケーションに切り替える制御を行わない構成の例を示したが、本発明はこれに限られない。本発明では、情報端末がバッテリの電力により動作している場合において、据え置き状態で、かつ、放置状態である場合に、据え置き状態に対応する所定のアプリケーションに切り替える構成であってもよい。
【００６８】
また、上記第１および第２実施形態では、情報端末が据え置き状態であることが検出され、かつ、所定の時間無操作の放置状態であると判断した場合に、制御部が、据え置き状態に対応する所定のアプリケーションに切り替える制御を行う構成の例を示したが、本発明はこれに限られない。本発明では、情報端末が据え置き状態であることが検出され、かつ、所定の時間無操作の放置状態であると判断した場合に、制御部が、据え置き状態に対応する所定のアプリケーションを動作させる制御を行う構成であれば、所定のアプリケーションに切り替える制御を行わなくてもよい。たとえば、アプリケーションが起動されていない状態から、据え置き状態に対応する所定のアプリケーションを制御部により動作させる構成であってもよい。
【００６９】
また、上記第１および第２実施形態では、説明の便宜上、ＣＰＵ（制御部）の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７０】
１  ＣＰＵ（制御部）
３  加速度センサ（据え置き検出部、姿勢検出部）
５ｂ  バッテリ
１２  クレイドル検出部（据え置き検出部）
２０  クレイドル
１００、２００  情報端末
【図１】
2013207733.tif 000003
【図２】
2013207733.tif 000004
【図３】
2013207733.tif 000005
【図４】
2013207733.tif 000006
【図５】
2013207733.tif 000007
【図６】
2013207733.tif 000008
【図７】
2013207733.tif 000009